【事件の表示】
　特願２００４−１７９６１１「携帯情報端末」拒絶査定不服審判事件〔平成１８年　１月　５日出願公開、特開２００６−　　４１６１〕について、次のとおり審決する。
【結　論】
　本件審判の請求は、成り立たない。
【理　由】
１．手続の経緯・本願発明
　本願は、平成１６年６月１７日の出願であって、平成１８年１月１２日付けで拒絶査定がなされ、これに対して、平成１８年２月２０日に拒絶査定不服審判の請求がなされるとともに、同日付けで手続補正がなされ、その後、当審において平成２０年１２月８日付けで拒絶理由通知がなされたものであって、その請求項１に係る発明（以下、「本願発明」という。）は、平成１８年２月２０日付けの手続補正書によって補正された特許請求の範囲の請求項１に記載された事項により特定される、以下のとおりのものと認める。
　
【請求項１】
受信したメールを記憶する記憶部と、
　受信したメールを表示する表示部と、
　キー入力を行う入力部と、
　メールを受信した場合、該受信したメールを前記記憶部に記憶し、
前記表示部の表示が待ち受け画面であるか、待ち受け画面以外であるかを判断し、待ち受け画面以外であると判断した場合、少なくとも前記メールを受信した旨と、該メールの発信者のアドレスと、前記受信したメールをすぐ読む処理が可能である旨と、前記受信したメールをすぐ読まずに後ほど読む処理が可能である旨と、前記受信したメールを削除処理可能である旨とを示した選択画面を前記表示部に表示し、
前記入力部によって、前記受信したメールの削除処理を選択された場合、前記受信したメール本文を表示することなく前記記憶部に記憶された受信メールを削除し、
前記入力部によって、前記受信したメールをすぐ読む処理が選択された場合、前記受信したメール本文を前記記憶部から読み出して前記表示部へ表示し、
前記入力部によって、前記受信したメールを後ほど読む処理が選択された場合、前記選択画面の表示を停止する制御部と
を有することを特徴とする携帯情報端末。
　
２．刊行物の記載
（１）刊行物１の記載
　上記当審の拒絶理由通知において引用された、特開平６−１５２６３８号公報（以下、「刊行物１」という。）には、図面と共に以下の記載がなされている。
　
【００２０】…（中略）…。図２において、クライアント・サーバシステムは、サーバ装置210と複数のクライアント装置240-a,b,c,・・・とを有し、各クライアント装置は通信回線230でサーバ装置210と接続している。また、サーバ装置210は、サーバ用記憶装置220を接続しており、前記サーバ用記憶装置220は、各クライアント装置からのメールや、各クライアント装置が個々にアクセスする共有情報を格納する。共有情報として、各クライアント装置からのメール情報および送信先を管理するためのメール管理テーブル100を備えることができる。メールを記憶するエリアは、各クライアント装置ごとにサーバ用記憶装置220内をあらかじめ領域分けしている。さらに、各クライアント装置240-a,b,c,・・・は、それぞれ固有のクライアント用記憶装置250-a,b,c,・・・を接続しており、前記各クライアント用記憶装置には、サーバ用記憶装置220内に格納されたメールや、クライアント装置がアクセスしたサーバ用記憶装置220内の共有情報などがデータ転送され格納される。また、サーバ装置210および各クライアント装置は、メールの送信指示などを受け付けるための、キーボードやマウスなどの入力手段と、メールの内容などを表示するためのディスプレイなどの表示手段とをそれぞれ備えることができる。
　
【００３１】図５は、各クライアント装置におけるメール着信の検出および着信メール再生の処理フローを示したものである。
【００３２】各クライアント装置では、サーバ用記憶装置220内の該当メール管理テーブル100の登録・再生状況310の内容を定期的に検索する(ステップ510)。前記検索の結果から登録・再生状況310の項目に「新規」のものがあるか否か判別し(ステップ520)、ない場合は、再び前記メール管理テーブル100の登録・再生状況310の内容を検索する(ステップ510)。前記判別の結果、登録・再生状況310の項目に「新規」のものがある場合、前記メール管理テーブル100の該当メール名320および該当メール属性330の内容を読出す(ステップ530)。前記読出したメール属性330の内容からメール転送の必要性の有無を判別し(ステップ535)、必要がある場合のみ、該当メールをサーバ用記憶装置220内から該クライアント用記憶装置内に転送する(ステップ540)。前記メール転送後およびメール転送の必要がない場合、該クライアント装置は、メールを着信した旨を表示するようにメール再生手段150に指示する(ステップ545)。そして、前記登録・再生状況310の項目を「新規」から「未済」に変更して(ステップ555)、再び新規メール登録の検索(ステップ510)を行う。
【００３３】また、メール着信処理からメール着信表示の指示を受けたメール再生処理は、前記メール名320およびメール属性330の内容から、メールの送信元やメールの内容に関する情報（緊急、極秘など）を識別し、メール着信を表示するポップアップウィンドウ内に、前記識別した内容を表示して利用者にメール着信を通知する(ステップ560)。そして、メール着信した旨をディスプレイ上に表示したことに対する利用者からの了解、すなわち、メール着信の内容を示すポップアップウィンドウ内の了解ボタンを利用者が押下したことによる利用者からの了解指示の割込みがあるか否か判別する(ステップ565)。前記判別の結果、前記利用者からの了解の割込みがない場合は、再び利用者からの割込みがあるか否か判別する。前記判別の結果、前記利用者からの了解の割込みがある場合は、前記メール名320のメールファイル名に応じた着信メールをサーバ用記憶装置220、あるいは、前記メール属性330の内容に「転送要」が登録されている場合、該クライアント用記憶装置内から読出して再生する(ステップ570)。前記再生が終了すると、メール管理テーブル100の該当登録・再生状況310を「済」に変更し(ステップ575)、メール再生処理は終了する。
【００３４】以上のように、各クライアント装置では、他のクライアント装置からのメール着信状況とメール着信を表示したポップアップウィンドウ内の了解指示を受け付けるという、利用者からの割込みを常時監視し、メール着信を検出した場合は、その旨を表示するポップアップウィンドウをディスプレイ上に表示する。また、利用者が入力手段によりメール着信表示のポップアップウィンドウ内の了解ボタンを押下した際、クライアント装置は、了解指示を受け付けて前記ポップアップウィンドウに対応したメールを再生する。
　
　以上の記載から、刊行物１には、次の発明（以下、「刊行物１記載発明」という。）が記載されていると認められる。
　
「　メールが格納されるクライアント用記憶装置と、
　メールの内容を表示するためのディスプレイなどの表示手段と、
　キーボードなどの入力手段とを備え、
　サーバ用記憶装置内のメール管理テーブルの登録・再生状況の内容を定期的に検索し、登録・再生状況の項目に「新規」のものがある場合、前記メール管理テーブルの該当メール名および該当メール属性の内容を読出し、前記読出したメール属性の内容からメール転送の必要性の有無を判別し、必要がある場合のみ、該当メールをサーバ用記憶装置内から該クライアント用記憶装置内に転送し、前記メール転送後およびメール転送の必要がない場合、メールを着信した旨を表示するようにメール再生手段に指示するメール着信処理と、
　メール着信処理からメール着信表示の指示を受けると、メール名およびメール属性の内容から、メールの送信元やメールの内容に関する情報（緊急、極秘など）を識別し、メール着信を表示するポップアップウィンドウ内に、前記識別した内容を表示して利用者にメール着信を通知し、メール着信した旨をディスプレイ上に表示したことに対する利用者からの了解、すなわち、メール着信の内容を示すポップアップウィンドウ内の了解ボタンを利用者が押下したことによる利用者からの了解指示の割込みがあるか否か判別し、前記利用者からの了解の割込みがある場合は、前記メール名のメールファイル名に応じた着信メールをサーバ用記憶装置、あるいは、前記メール属性の内容に「転送要」が登録されている場合、該クライアント用記憶装置内から読出して再生するメール再生処理と、
　を実行するクライアント装置。」
　
（２）刊行物２の記載
　上記当審の拒絶理由通知において引用された、特開２００４−７１４４号公報（以下、「刊行物２」という。）には、図面と共に以下の記載がなされている。
　なお、上記当審の拒絶理由通知で刊行物２として摘記し、請求人が平成２１年２月９日付け意見書で同意した刊行物２記載内容に対して、特開２００４−７１
１
４
　
【０００１】
【発明が属する技術分野】
本発明は、通信端末に関し、特に表示部に着信に関する情報を表示して、着信を報知するする携帯電話機等の通信端末に関する。
【０００２】
【従来の技術】
携帯電話機、ＰＤＡ端末等の通信端末は、無線基地局との間に電波による通信回線を設定し、無線により音声、データ等を送受して通信を行うものであり、送受信部の他、通信端末全体を統括して制御する制御部を有している。また、通信端末の一つである携帯電話機は、電話機に対する操作指示を入力する操作部と、操作に関する情報を表示する表示部とを有し、操作部及び表示部は制御部によって制御されている。そして、この表示部には、操作に関する情報を表示する領域の他に、携帯電話機の作動状態を表示するピクト部が設けられている。
【０００３】
携帯電話機は、通常の待受時において待受画面を表示している（なお、消費電力を抑えるために画面表示を停止している場合もある）。そして、携帯電話機の使用者からの操作入力に伴って画面を機能に関する機能画面に切り替える。使用者は、表示部に表示される携帯電話機の機能画面を見ながら操作部を操作して携帯電話機に対する動作の指示をする。例えば、操作部を操作して、表示部に表示される操作メニューに従って携帯電話機の着信音の設定をしたり、表示部に表示される入力項目に従ってメモリダイヤル（電話帳）の登録をしたり、送信するメールを作成したり、静止画像や動画を表示させたり、単にカメラが写している被写体を表示させたり、ゲームをしていたり、その他のアプリケーションを使用したりすることなど、これらの携帯電話機（通信端末）の動作に関する画面が機能画面に含まれる。
【０００４】
なお、待受画面とは、上述した機能画面以外の画面であり、例えば使用者が操作をしていない状態の画面である。近年の携帯電話機では、電波強度、電池残量、時刻などのほかに壁紙やアニメーションを表示しているものもある。
【０００５】
【発明が解決しようとする課題】
しかし、使用者が、携帯電話機に対して動作の指示を操作している途中に着信があると、表示部には着信があった旨を報知する着信画面が優先して表示され、機能画面が消去されてしまう問題があった。また、着信表示をする際に、操作指示の途中の情報を格納したとしても、該着信に関する通話後に改めて機能画面を表示して入力操作を行わなければならず、操作が煩雑となる問題があった。
【０００６】
また、着信時において、入力操作を優先して、着信表示を行わないよう制御すると、着信があったことが分からずに、重要な相手先からの着信を見逃してしまう問題があった。
【０００７】
また、着信音、光、振動等によって着信を報知しても、誰からの着信なのかが表示部に表示されないと、発信者が分からず、電話に出るべきか否かの判断が困難であった。
【０００８】
このように、携帯電話機の操作中に着信があった場合でも、該操作を継続しつつ、着信情報を表示することができる携帯電話機が求められていた。本発明は、通信端末の操作中に着信があっても、現在の操作状態を変えることなく着信表示をする通信端末を提供することを目的とする。
【０００９】
【課題を解決するための手段】
第１の発明は、所定の機能画面を表示する表示部を有する通信端末において、前記通信端末の表示部を、少なくとも待受画面から機能画面に切り替えているときに着信を受けると、前記機能画面を保持した状態で前記表示部の一部に着信の表示（例えば、該着信の発信者情報の表示）をすることを特徴とする。
【００１０】
ここで、機能画面を保持した状態とは表示部に表示されている機能画面を何ら変更しない態様や機能画面のおおよその表示内容を変更しない態様などが含まれる。
　
【００３１】
図２は、本発明の実施の形態の携帯電話機において着信待受時の動作を示すフローチャートである。
【００３２】
制御部では、携帯電話機の動作を司るメインプログラムが動作している。このメインプログラムでは、操作部のキースイッチが操作されたかを、定期的にスキャンして監視している（Ｓ１０１）。設定スイッチが操作されたことを検出すると（Ｓ１０１で”有”）、機能の設定やメモリダイヤル登録や、メールの作成や、着信音の設定等の付加機能を実行する設定モードに移行し、表示部にこれらの付加機能設定のための機能画面（例えば、図３（ａ）に示すメニュー画面や着信音の設定画面、メール作成・閲覧画面、電話帳設定画面）を表示する（Ｓ１０２）。なお、この設定モードとは使用者が付加機能の設定操作を行っているモードを示し、機能モードの一部である。従って、機能モードは上述の設定モード以外にもカメラ（図示省略）から画像を取り込むカメラモードや、記憶されている画像の閲覧モード、ゲームモード、電卓モードなども含まれる。
【００３３】
そして、設定モード中に携帯電話機への着信を検出すると（Ｓ１０３）、基地局から送信されてきた呼出信号から発信者番号等の発信者情報を抽出する。そして、発信者番号をＲＡＭ５に格納し、この着信に関する発信者番号をメモリダイヤル中から検索して、メモリダイヤルに一致する電話番号が記憶されていたら、発信者番号と共に、対応する名前をＲＡＭ５に記憶する（Ｓ１０４）。
【００３４】
なお、この着信がメールの着信であれば、発信者メールアドレス（又は発信者電話番号）及びメールデータ（メール本文）をＲＡＭ５に格納し、この着信に関する発信者メールアドレス（又は発信者電話番号）をメモリダイヤル中から検索して、メモリダイヤルに一致する発信者メールアドレス（又は発信者電話番号）が記憶されていたら、メールデータと共に対応する名前をＲＡＭ５に記憶する（Ｓ１０４）。
【００３５】
そして、着信ランプを点滅させ、使用者に着信があったことを報知すると共に、ＣＰＵが、設定モードを継続しているか否かを判断する（Ｓ１０５）。設定モードを継続している場合とは、設定モードのアプリケーションが起動している状態であり、このステップＳ１０５の判定は、着信を受けて、メモリダイヤルを検索する間にアプリケーションを終了していないか否かを判断するためのものである。そして、設定モードが継続していると判断されたならば（Ｓ１０５で”Ｙｅｓ”）、該着信に関する発信者電話番号等の情報（着信情報）の表示位置を後述の方法により決定する（Ｓ１０６）。
【００３６】
この着信情報の表示位置としては、表示画面のピクト部を選択する方法がある。すなわち、図３にて後述するように、表示画面の上部には携帯電話機に動作状態（電池残量、電界強度等）を図形（ピクトグラム）によって表示するピクト部が設けられており、このピクト部に着信情報を表示するように表示位置を決定する。なお、着信があった旨を強調するため、ピクト部に着信表示をすると共に、機能画面の一部を使用して文字を大きく表示することも可能である。
【００３７】
また、着信情報の表示位置として、現在実行中の設定モードにおける操作（特に、データの入力）を阻害しない位置を選択する方法もある。すなわち、入力操作中のカーソル位置を判断し、カーソル位置から遠い部分に着信情報を表示するように表示位置を決定する。これは、カーソル位置に近い位置に表示してしまうと、入力操作を阻害してしまうからである。なお、入力操作中のカーソル位置に加え、今後入力される項目（すなわち、この後にカーソルが移動する方向）を判断し、カーソルが移動する方向とは異なる位置に着信情報を表示するように表示位置を決定することもできる。この場合は、カーソルが移動する方向に表示してしまうと、入力が進むにつれて表示が入力操作等を阻害してしまうことを
防ぐためである。
【００３８】
着信情報の表示位置が決定したら、この表示位置に表示領域を設け、ステップＳ１０４でＲＡＭ５に格納した発信者番号、対応する名前（メールの着信の場合は、発信者メールアドレス、対応する名前、メールデータ）を表示部９に表示する。
【００３９】
そして、通話キーが操作されたか否かを検出し（Ｓ１０８）、通話キーの操作を検出すると（Ｓ１０８で”Ｙｅｓ”）、基地局との間で通話チャネルを設定して、通話状態に移行する（Ｓ１０９）。
【００４０】
一方、通話キーの操作が検出されなければ（Ｓ１０８で”Ｎｏ”）、発信者番号を表示した着信報知状態を維持したまま、設定モードを継続する（Ｓ１１３）。
【００４１】
また、ステップＳ１０５で、設定モードの解除と判断されたら、着信情報を表示画面全面に表示する通常の着信表示をする（Ｓ１１１）。そして、通話キーが操作されたか否かの検出処理（Ｓ１１４）に移行する。
　
【００４９】
図４は、本発明の実施の形態の携帯電話機における表示部の表示内容を説明する図であり、メールの着信があった場合の表示画面を示す。
【００５０】
図４（ａ）は、電話機の機能として着信音パターンを設定中の画面の表示を示す。画面の最上部に携帯電話機の動作状態を示す図形（ピクトグラム）が表示されるピクト部が設けられており、電池残量表示、電界強度表示、時刻表示、操作可能キー方向表示がされている。
【００５１】
図４（ｂ）は、携帯電話機にメールの着信があり、設定モードが継続された場合の表示例（図２のステップＳ１０７）を示し、着信したメールに関する情報がピクト部に表示されている。すなわち、ピクト部には、メールの着信があった旨を表示する図形と、発信者のメールアドレス等に基づいてメモリダイヤルの記憶内容を検索して読み出した発信者名を表示している。なお、発信者名ではなく発信者のメールアドレスや電話番号を表示するように構成してもよい。
【００５２】
このとき、メール着信情報は、表示部の最上部（ピクト部）に着信情報を表示する表示領域を設けて表示されるので、現在実行中の機能設定画面を消去して、機能設定を中断することなく、着信前の画面（図４（ａ））の操作に関する表示部分を保持したまま、発信者名等のメール着信情報を表示することができる。
　
３．対比　
　本願発明と刊行物１記載発明とを対比すると、刊行物１記載発明の「サーバ用記憶装置から転送されたメールが格納されるクライアント用記憶装置」、「メールの内容を表示するためのディスプレイなどの表示手段」、「キーボードなどの入力手段」が、それぞれ、本願発明の「受信したメールを記憶する記憶部」、「受信したメールを表示する表示部」、「キー入力を行う入力部」に相当する。
　
　刊行物１記載発明の「メール名およびメール属性の内容から識別されるメールの送信元」は、本願発明の「メールの発信者のアドレス」と、メールの発信者に関する情報の点で共通する。
　
　刊行物１記載発明の「メール着信処理からメール着信表示の指示を受けると、メール名およびメール属性の内容から、メールの送信元やメールの内容に関する情報（緊急、極秘など）を識別し、メール着信を表示するポップアップウィンドウ内に、前記識別した内容を表示して利用者にメール着信を通知する」ことは、
　メール着信の内容を示す前記ポップアップウィンドウ内の了解ボタンを利用者が押下した場合は、着信メールを該クライアント用記憶装置内から読出して再生するから、
　本願発明の「前記表示部の表示が待ち受け画面であるか、待ち受け画面以外であるかを判断し、待ち受け画面以外であると判断した場合、少なくとも前記メールを受信した旨と、該メールの発信者のアドレスと、前記受信したメールをすぐ読む処理が可能である旨と、前記受信したメールをすぐ読まずに後ほど読む処理が可能である旨と、前記受信したメールを削除処理可能である旨とを示した選択画面を前記表示部に表示する」ことと、
　少なくともメールを受信した旨と、該メールの発信者に関する情報と、前記受信したメールをすぐ読む処理が可能である旨を示した画面を前記表示部に表示する点で共通する。
　
　刊行物１記載発明の「メール着信の内容を示すポップアップウィンドウ内の了解ボタンを利用者が押下したことによる利用者からの了解指示の割込みがある場合は、前記メール名のメールファイル名に応じた着信メールを該クライアント用記憶装置内から読出して再生する」ことは、入力部によって了解ボタンを押下することは明らかであるから、
　本願発明の「前記入力部によって、前記受信したメールをすぐ読む処理が選択された場合、前記受信したメール本文を前記記憶部から読み出して前記表示部へ表示する」ことといえる。
　
　刊行物１記載発明の「メール着信処理及びメール再生処理」は、クライアント装置の制御部により実行されるといえる。
　
　刊行物１記載発明の「クライアント装置」は、本願発明の「携帯情報端末」と、情報端末の点で共通する。
　
　すると、本願発明と刊行物１記載発明との一致点及び相違点は、以下のとおりである。
　
＜一致点＞
「受信したメールを記憶する記憶部と、
　受信したメールを表示する表示部と、
　キー入力を行う入力部と、
　メールを受信した場合、該受信したメールを前記記憶部に記憶し、
　少なくとも前記メールを受信した旨と、該メールの発信者に関する情報と、前記受信したメールをすぐ読む処理が可能である旨を示した画面を前記表示部に表示し、
　前記入力部によって、前記受信したメールをすぐ読む処理が選択された場合、前記受信したメール本文を前記記憶部から読み出して前記表示部へ表示する制御部と
を有する情報端末。」である点。
　
＜相違点１＞
　少なくとも前記メールを受信した旨と、該メールの発信者に関する情報と、前記受信したメールをすぐ読む処理が可能である旨を示した画面を、本願発明では、「前記表示部の表示が待ち受け画面であるか、待ち受け画面以外であるかを判断し、待ち受け画面以外であると判断した場合」に表示部に表示するのに対して、
　刊行物１記載発明は、メール着信処理からメール着信表示の指示を受けると表示部に表示するものである点。
　そして、本願発明は、「携帯情報端末」であるのに対して、
　刊行物１記載発明は、クライアント装置である点。
　
＜相違点２＞
　メールの発信者に関する情報が、本願発明では、メールの発信者の「アドレス」であるのに対して、刊行物１記載発明ではメールの送信元であり、アドレスなのか明らかではない点。
　
＜相違点３＞
　少なくとも前記メールを受信した旨と、該メールの発信者に関する情報と、前記受信したメールをすぐ読む処理が可能である旨を示した画面が、
　本願発明では、前記受信したメールをすぐ読む処理が可能である旨と、「前記受信したメールをすぐ読まずに後ほど読む処理が可能である旨と、前記受信したメールを削除処理可能である旨とを示した選択」画面であるのに対して、
　刊行物１記載発明は、メール着信を表示するポップアップウィンドウ内に、メールの送信元を表示して利用者にメール着信を通知し、かつ、押下するとメールを再生する了解ボタンを表示する画面であり、
　そして、本願発明は「前記入力部によって、前記受信したメールの削除処理を選択された場合、前記受信したメール本文を表示することなく前記記憶部に記憶された受信メールを削除し」、「前記入力部によって、前記受信したメールを後ほど読む処理が選択された場合、前記選択画面の表示を停止する」のに対して、刊行物１記載発明は、そのようなものではない点。
　
（２）相違点の検討
（２−１）相違点１及び相違点２について
　上記「２．（２）刊行物２の記載」の摘記より、刊行物２には、「通信端末の操作中に着信があっても、操作を継続しつつ、着信情報を表示する携帯電話機を提供するために、
　表示部を待ち受け画面から設定モードの機能画面に切り替えているときにメールの着信を検出すると、設定モードを継続しているか否かを判定し、設定モードが継続していると判断されたならば（待ち受け画面以外であると判断した場合）、メールの着信があった旨を表示する図形と、該メールの発信者のメールアドレスを表示する携帯電話機（携帯情報端末）」が記載されていると認められる。（以下、「刊行物２記載発明」という。）
　
　刊行物１記載発明と刊行物２記載発明とは、メールの着信を表示する点で共通するから、刊行物１記載発明に刊行物２記載発明を適用して、表示部の表示が待ち受け画面であるか、待ち受け画面以外であるかを判断し、待ち受け画面以外であると判断した場合、少なくとも前記メールを受信した旨と、メールの発信者のアドレスを示す画面を表示部に表示する携帯情報端末とすることは、当業者が容易になし得ることである。
　
（２−２）相違点３について
　刊行物３（【００３１】の「メールを「開く」場合は、例えば数字キーの「１０」を押下し、メールを「削除」する場合は、数字キーの「９９」を押下する」、【００３７】の「メール表示の指示の入力があった場合は、表示部１３にメールを表示し、メール削除の指示の場合は、受信メールリスト１８から対象メールの情報を削除…（中略）…する。」及び図６の「メールを読む処理が可能である旨と、メールを削除処理可能である旨とを示した選択画面」を参照。）には、
「　メールをすぐ読む処理が可能である旨と、前記メールを削除処理可能である旨とを示した選択画面を表示し、
　入力部によって、前記メールの削除処理を選択された場合、前記メール本文を表示することなく記憶部に記憶された受信メールを削除し、
　入力部によって、前記メールをすぐ読む処理が選択された場合、前記メール本文を記憶部から読み出して表示部へ表示する」
ことが記載されている。
　
　刊行物４（【００３１】〜【００３３】の「電子メールが着信したことをユーザに通知するためのメッセージがポップアップ表示された表示画面の一例を示している。図７に示す例では、「新着メールがあります」のメッセージと共に、「すぐ読む」か「後で読む」かを選択するためのボタンが設けられている。ここで「すぐ読む」のボタンが選択された場合、…（中略）…、受信した電子メールの内容を表示する。一方、「後で読む」のボタンが選択された場合、…（中略）…ポップアップ表示を消去する」を参照。）には、
「　受信したメールをすぐ読む処理が可能である旨と、前記受信したメールをすぐ読まずに後ほど読む処理が可能である旨とを示した選択画面を表示部に表示し、
　入力部によって、前記受信したメールをすぐ読む処理が選択された場合、前記受信したメール本文を表示部へ表示し、
　入力部によって、前記受信したメールを後ほど読む処理が選択された場合、前記選択画面の表示を停止する」
ことが記載されている。
　
　刊行物５（【００２９】の「このポップアップメニュー４３には、選択したメールの内容を表示させるための受信メール表示メニュー４３−１と選択したメールを削除するための削除メニュー４３−２、…（中略）…がある。」を参照。）には、
「　メールをすぐ読む処理が可能である旨と、前記メールを削除処理可能である旨とを示した選択画面を表示部に表示する」
ことが記載されている。
　
　そして、刊行物１記載発明に刊行物３乃至刊行物５に係る技術を適用して、受信したメールをすぐ読む処理が可能である旨と、「前記受信したメールをすぐ読まずに後ほど読む処理が可能である旨と、前記受信したメールを削除処理可能である旨とを示した選択」画面とし、「入力部によって、前記受信したメールの削除処理を選択された場合、前記受信したメール本文を表示することなく前記記憶部に記憶された受信メールを削除し」、前記入力部によって、前記受信したメールをすぐ読む処理が選択された場合、前記受信したメール本文を前記記憶部から読み出して前記表示部へ表示し、「前記入力部によって、前記受信したメールを後ほど読む処理が選択された場合、前記選択画面の表示を停止する」制御部とすることは、当業者が容易になし得ることである。
　
　なお、平成２１年２月９日付け意見書にて、当審の拒絶理由通知の相違点１と相違点３について、相違点１と相違点３とを分けることなく、相違点１’として認定すべきであると主張しているが、
　本願発明に係る「前記表示部の表示が待ち受け画面であるか、待ち受け画面以外であるかを判断し、待ち受け画面以外であると判断した場合、少なくとも前記メールを受信した旨と、該メールの発信者のアドレスと、前記受信したメールをすぐ読む処理が可能である旨と、前記受信したメールをすぐ読まずに後ほど読む処理が可能である旨と、前記受信したメールを削除処理可能である旨とを示した選択画面を前記表示部に表示し」において、
　メールを受信した旨の画面を表示部に表示する際に、表示部の表示を判断することと、当該画面を選択画面とすることとの間に格別の技術的関連性は認められないから、本願発明と刊行物１記載発明との対比において、メールを受信した旨の画面が表示部の表示を判断して表示することと、メールを受信した旨の画面が選択画面であることとを、別の相違点（前記相違点１と前記相違点３）として判断することに、誤りはない。
　
　そして、本願発明のように構成したことによる作用効果も、刊行物１記載発明、刊行物２の記載、及び刊行物３乃至刊行物５の記載から当業者が予測できる程度のものである。
　
５．むすび
　以上のとおりであるから、本願発明は、刊行物１乃至刊行物５に基づいて、当業者が容易に発明をすることができたものであるから、特許法第２９条第２項の規定により特許を受けることができない。
　したがって、本願は、その他の請求項について検討するまでもなく、拒絶すべきものである。
　よって、結論のとおり審決する。